(57)【要約】【課題】ＥｃｈｏＬｉｎｋシステム１０においてモバイル無線機２８からＶｏＩＰノード局２０へアクセスする場合に、ユーザが状況に応じたコマンドを、入力ミスを抑制しつつ、送信できるようにする。【解決手段】ユーザは、無線機２８のメモリの各チャネル番号に各ノード局２０のコールサインを文字列で登録する。コールサインは、見た目で、間違いが分かるので、正しいコールサインが登録されるのが期待できる。ユーザは、アクセスの際は、チャネル番号を指定するとともに、所望のコマンドに対応付けられているキー、例えば”Ｃ”とか”０”→”７”とかのキーを押下する（Ｓ５２，Ｓ５４）。無線機２８は、所定の変換表に基づきコールサインの先頭文字から対応のＥｃｈｏＬｉｎｋコードへ変換し、コールサインの対応コード列を生成する（Ｓ５３，Ｓ５５）。さらに、該対応コードの前後にコマンドに対応するコードを付加して、それを送信する（Ｓ６０）。【選択図】図４
2008301169.tif 000002
【特許請求の範囲】
【請求項１】
各チャネル番号に割当てた無線中継局の各ＶｏＩＰノード局のコールサインをユーザの文字入力に基づき記憶媒体に文字形式で登録する登録手段、
ユーザ指定のチャネル番号についてそのコールサインの文字列を前記記憶媒体から読み出すとともに、該文字列の各文字を対応のコードに変換して該文字列の対応コード列を生成するコード列生成手段、
前記対応コード列をノード指定部分に含むコマンドコードを生成するコマンド生成手段、及び
前記コマンドコードを無線で送信する送信手段、
を備えることを特徴とする無線機。
【請求項２】
前記コマンド生成手段は、ユーザ指示のコマンドに対応付けられているユーザ操作に基づきコマンドコードのコマンド部分を生成することを特徴とする請求項１記載の無線機。
【請求項３】
前記ユーザ指示のコマンドには、ＶｏＩＰノード局へ接続するコマンド及びユーザ指定のチャネル番号のコールサインのノード番号を問い合わせるコマンドが含まれていることを特徴とする請求項２記載の無線機。
【請求項４】
前記送信手段は、前記コマンドコードをＤＴＭＦにより送信することを特徴とする請求項１〜３のいずれかに記載の無線機。
【請求項５】
前記登録手段は、各チャネル番号に割当てたＶｏＩＰノード局のノード番号を記憶媒体に登録可としており、
前記送信手段は、ユーザ指定のチャネル番号に対して、それに割当てたＶｏＩＰノード局のノード番号が前記記憶媒体に登録されていて、かつユーザがコマンド選択操作を行わなかった場合には、該チャネル番号についてのコールサインの登録の有無に関係なく、前記コマンドコードに代えてノード番号を無線送信することを特徴とする請求項１〜４のいずれかに記載の無線機。
【請求項６】
各チャネル番号に割当てた無線中継局の各ＶｏＩＰノード局のコールサインをユーザの文字入力に基づき記憶媒体に文字形式で登録するステップ、
ユーザ指定のチャネル番号についてそのコールサインの文字列を前記記憶媒体から読み出すとともに、該文字列の各文字を対応のコードに変換して該文字列の対応コード列を生成するステップ、
前記対応コード列をノード指定部分に含むコマンドコードを生成するステップ、及び
前記コマンドコードを無線で送信するステップ、
を備えることを特徴とする無線機制御方法。
【請求項７】
請求項１〜５のいずれかに記載の無線機の各手段としてコンピュータを機能させるプログラム。
【発明の詳細な説明】
【技術分野】
【０００１】
本発明は、ＶｏＩＰ（Voice over Internet Protocol）の中継局へ無線接続する無線機、制御方法及びプログラムに関するものである。
【背景技術】
【０００２】
特許文献１は、アマチュア無線のＶｏＩＰシステムの１つであるＥｃｈｏＬｉｎｋシステムについて解説している。ＥｃｈｏＬｉｎｋシステムは、インターネットに接続したレピーター局や基地局（リンク局）の中継局（ノード局）を装備するとともに、それら中継局は世界中に存在している。ＥｃｈｏＬｉｎｋでは、携帯型や車載型無線機等の移動局は、ＤＴＭＦ（Dual Tone Multi Frequency）コードを利用して、近辺の中継局にアクセスし、世界各地のアマチュア局と交信することができるようになっている。
【０００３】
ユーザが、従来の移動局からＥｃｈｏＬｉｎｋノード局にアクセスする場合には、ユーザは、ノード局のコールサインに対応するＤＴＭＦコードを、テンキーからマニュアルで入力して、送信するか、又は予めノード番号をＤＴＭＦメモリにマニュアルで登録しておき、接続時では、該ＤＴＭＦメモリを呼び出して、ノード番号を送信するかしている。
【非特許文献１】著者：Ｓｔｅａｖｅ  Ｆｏｒｄ、雑誌名：ＱＳＴ、巻号：２００３年２月号、米国発行日：２００３年２月、記載箇所：ｐ．４４
【発明の開示】
【発明が解決しようとする課題】
【０００４】
ユーザがマニュアル操作でＶｏＩＰノード局にアクセスする場合には、ユーザは、状況に合わせて、適宜、コマンド（例：”Ｃｏｎｎｅｃｔ  ｂｙ  Ｃａｌｌ”及び”Ｑｕｅｒｙ  ｂｙ  Ｃａｌｌ”）を選択することができるものの、マニュアル入力に因るＤＴＭＦ送信間隔のずれや送信コードの入力ミスが生じ易く、このため、アクセス失敗に陥ることが多い。
【０００５】
また、ＤＴＭＦコードを使用する場合には、予めＤＴＭＦメモリにＤＴＭＦコードを入力しておく必要があるが、該ＤＴＭＦコードは、コールサインをＥｃｈｏＬｉｎｋコードに変換したものになっている。したがって、ユーザは、ＥｃｈｏＬｉｎｋのコード表を見ながら、コールサインに対応するコードを入力することになり、そのような入力作業では、変換ミスや入力ミス等が起こり易い。
【０００６】
さらに、ユーザが、状況に応じてコマンドを選択して、それを送信できるようにするためには、コマンドごとにノード局のＤＴＭＦコードを登録しなければならず、ＤＴＭＦメモリの必要容量が増大する。
【０００７】
本発明の目的は、ユーザの入力間違いに因るアクセス失敗の事態を低下させることができる無線機、制御方法及びプログラムを提供することである。
【０００８】
本発明の他の目的は、ノード局についての入力間違いを少なくしつつ、ユーザが状況に基づき選択したコマンドを送れるようにした無線機、制御方法及びプログラムを提供することである。
【課題を解決するための手段】
【０００９】
本発明によれば、各ＶｏＩＰノード局に割当てたチャネル番号には、ユーザの文字入力に基づき該ＶｏＩＰノード局のコールサインの文字列を文字形式で登録する。ユーザが、ＶｏＩＰノード局へのコマンドを送信する場合には、ユーザ指定のチャネル番号からそのコールサインの文字列を読み出し、該文字列の各文字をコードへ自動変換して、該文字列の対応コード列を生成する。そして、該対応コード列をノード指定部分に含むコマンドを無線で送信する。
【００１０】
本発明では、さらに、ユーザ指示のコマンドに対応付けられているユーザ操作、例えば、”Ｃ”キーの押下や、”０”、次に”７”のキー操作を検出して、ユーザ指示のコマンドを判断する。そして、前述の対応コード列をノード指定部分に含むコマンドコードを無線で送信する。
【００１１】
本発明の無線機は次のものを備えている。
各チャネル番号に割当てた無線中継局の各ＶｏＩＰノード局のコールサインをユーザの文字入力に基づき記憶媒体に文字形式で登録する登録手段、
ユーザ指定のチャネル番号についてそのコールサインの文字列を前記記憶媒体から読み出すとともに、該文字列の各文字を対応のコードに変換して該文字列の対応コード列を生成するコード列生成手段、
前記対応コード列をノード指定部分に含むコマンドコードを生成するコマンド生成手段、及び
前記コマンドコードを無線で送信する送信手段。
【００１２】
本発明の無線機制御方法は次のステップを備えている。
各チャネル番号に割当てた無線中継局の各ＶｏＩＰノード局のコールサインをユーザの文字入力に基づき記憶媒体に文字形式で登録するステップ、
ユーザ指定のチャネル番号についてそのコールサインの文字列を前記記憶媒体から読み出すとともに、該文字列の各文字を対応のコードに変換して該文字列の対応コード列を生成するステップ、
前記対応コード列をノード指定部分に含むコマンドコードを生成するステップ、及び
前記コマンドコードを無線で送信するステップ。
【００１３】
本発明のプログラムは、前述した本発明の無線機の各手段としてコンピュータを機能させる。
【発明の効果】
【００１４】
本発明によれば、ユーザは、アクセス時又は登録時にコールサインのコードを入力する手間を省略して、コールサインの文字入力で登録を行うことになる。コールサインの文字列は、見た目で、正しいか間違いの判断がつくようなものなので、ユーザの入力ミスや入力のもたつきに因るアクセス不能の事態を大幅に抑制することができる。
【００１５】
本発明の具体例では、ユーザが、状況に応じたコマンドを、該コマンドに対応付けられているユーザ操作を行うことにより、アクセス対象のＶｏＩＰノード局に係る対応コード列を含むコマンドコードが生成されて、それが無線で送信される。これにより、ユーザ所望のコマンドを、ユーザ所望のＶｏＩＰノード局へ、入力ミスの発生を抑制して、送信することができる。
【発明を実施するための最良の形態】
【００１６】
図１はＥｃｈｏＬｉｎｋシステム１０の構成図である。ＥｃｈｏＬｉｎｋシステム１０では、インターネット１１に、１つのＥｃｈｏＬｉｎｋサーバ１２、シングルユーザモードのＰＣ（パーソナルコンピュータ）１３、及びシスオペモードの複数のＶｏＩＰノード局２０が接続されている。ＰＣ１３及びＶｏＩＰノード局２０は、ＶｏＩＰによりインターネット１１を介して音声を相互に送受自在になっている。
【００１７】
ＶｏＩＰノード局２０は、ルータ２１、ＰＣ２２、無線機２３及びアンテナ２４を有している。ＶｏＩＰノード局２０には、基地局（リンク局）とレピータ局との２種類がある。ＰＣ２２は、ルータ２１を介してインターネット１１へ接続されているとともに、無線機２３と相互に接続されている。アンテナ２４は、音声及び制御信号に係るＲＦ信号を無線機２３から供給されて、それを電波で周囲へ送信するとともに、モバイル無線機２８等からの音声及び制御信号に係る電波を受信して、そのＲＦ信号を無線機２３へ供給する。
【００１８】
図２は無線機２３の構成図である。モバイル無線機２８の構成も、無線機２３の構成とほぼ同様である。無線機２３は、ＰＣ２２へケーブル接続するためのコネクタが必要であるのに対し、モバイル無線機２８はそれらの装備が不要になる。また，モバイル無線機２８では、ラジオユニット３１及びパネルユニット３２が分離しておらず、一体となっている。さらに、無線機２３では、外付けマイクが用意されるのに対し、モバイル無線機２８は内蔵マイクを装備する。
【００１９】
無線機２３はラジオユニット３１とパネルユニット３２とを装備し、ケーブル３３は、ラジオユニット３１−パネルユニット３２間を接続して、ラジオユニット３１−パネルユニット３２間の信号を伝送する。ラジオユニット３１には、４つの外付け機器用ケーブルコネクタ３４と、１つのマイク端子３５と、１つのアンテナ端子３６とを有している。４つの外付け機器用ケーブルコネクタ３４は、ＰＣ２２等の外部機器へのケーブル接続の際に使用されるものであり、ＰＣ２２のＲＳ−２３２Ｃへ接続されるコネクタ（”ＲＳ−２３２Ｃ”と図示のもの）、外部ＴＮＣ接続用コネクタ（”ＤＡＴＡ”と図示のもの）、外部機器へ音声信号を出力するためのコネクタ、及び外部機器からの音声信号を入力するためのコネクタより成る。マイク端子３５は外付けマイクへ接続される。アンテナ端子３６はアンテナ２４へ接続される。
【００２０】
マイコン３７は、データをＥＥＰＲＯＭ（Electronically Erasable and Programmable Read Only Memory）３８から読み出したり、書き込んだりするとともに、所定の演算を行い。ラジオユニット３１の各素子を制御する。送受信部３９は、ラジオユニット３１へ出入りする各信号の変換を行う。
【００２１】
パネルユニット３２は、マイコン４２、表示器４３及び操作部４４を備えている。マイコン４２は、ケーブル３３を介してラジオユニット３１のマイコン３７及び送受信部３９と信号を送受するとともに、表示信号を表示器４３へ送って、表示器４３における表示を制御する。操作部４４は、各種操作キー等を含み、無線機２３のユーザにより操作され、操作に係る信号をマイコン４２へ送る。
【００２２】
図３はモバイル無線機２８の表示器４３における表示例を示している。モバイル無線機２８はＥｃｈｏＬｉｎｋメモリを装備し、該ＥｃｈｏＬｉｎｋメモリに、計１０個のチャネル番号ＥＬ０〜ＥＬ９が用意されている。ＥｃｈｏＬｉｎｋメモリはＥＥＰＲＯＭ３８内に確保される。
【００２３】
１つのチャネル番号には１つのＶｏＩＰノード局２０が割り当てられ、各チャネル番号には、それに割り当てたＶｏＩＰノード局２０のコールサイン及びノード番号が登録されるようになっている。なお、チャネル番号では、コールサインは英数の文字で入力され、ノード番号は、番号が数字（該数字をモバイル無線機２８はコードとして処理する。）で入力される。各チャネル番号には、ネーム部（図３（ｂ）のＮＡＭＥ）及びコード部（図３（ｃ）のＣＯＤＥ）の２つの記憶領域が設定され、それぞれコールサイン及びノード番号が登録されるようになっている。
【００２４】
モバイル無線機２８においてユーザがＥｃｈｏＬｉｎｋメモリにコールサイン等を登録する手順について説明する。ユーザは、所定のキーを操作して、メモリ登録モードへ切り替える。これにより、モバイル無線機２８の表示器４３は図３（ａ）の表示になる。すなわち、表示器４３には、その左端部に、ＥｃｈｏＬｉｎｋメモリを意味する”ＥＬＫＭＥＭ”が表示され、右端部には、チャネル番号＝０を意味する”ＥＬ０”が表示される。
【００２５】
ユーザは、モバイル無線機２８のエンコーダ摘まみを回転操作して、ＥＬ０〜ＥＬ９の中から、今回登録を行なおうとするチャネル番号を選択する。表示器４３の右端部に表示されるチャネル番号は、ユーザによるエンコーダ摘まみの回転操作に伴い、変化する。ユーザは、今回登録を行なおうとするチャネル番号が表示器４３の右端部に表示されると、決定キーを押下する。
【００２６】
図３（ｂ）は登録チャネル番号としてＥＬ４が決定されたときの表示器４３の表示状態を示している。”ＮＡＭＥ”が、表示器４３の左端部に表示され、コールサインの入力モードであることをユーザに示している。なお、ここで言う入力モードでは、ユーザが既登録済みのコールサインを変更したり、確認したりすることもできるようになっているので、入力モードは変更モード及び確認モードでもある。
【００２７】
すなわち、該チャネル番号にコールサインが登録済みであるならば、該コールサインが表示器４３の右半部にテキストで表示される。ユーザは、メモリ登録モード内のコールサイン入力モードで、コールサインの新規登録に代えて、登録済みコールサインを変更することもできる。図３（ｂ）の表示状態は、コールサインが表示されておらず、これは、ＥＬ４には、コールサインが未登録状態であることを意味する。
【００２８】
ユーザは、コールサインを登録する場合には、図３（ｂ）の状態から例えばテンキー等を操作して、コールサインを１文字ずつ入力する。モバイル無線機２８のテンキーは、文字種の変更により、数字だけでなく、英字も入力可能になっているものとする。すなわち、コールサインの文字列は英数混在を可とする（例：”Ａ１ＢＣ２Ｄ”）。
【００２９】
ユーザは、コールサインの文字列の入力を終了して、入力ミスがないことを確認すると、決定キーを押下する。これにより、表示器４３における表示は図３（ｃ）の状態になる。図３（ｃ）の状態は、無線機２３のノード番号の登録モードになっている。なお、ユーザは、図３（ｂ）のコールサイン入力モードでコールサインの新規登録又は変更をパスして、図３（ｃ）のノード番号入力モードへ移行することができる。その場合には、図３（ｂ）のコールサイン入力モードで、文字入力や文字変更を行うことなく、決定キーのみを押下することになる。
【００３０】
図３（ｃ）の左端部の”ＣＯＤＥ”の表示は、現在がノード番号入力モードであることを意味している。ノード番号がすでに登録済みの場合には、右半部に該ノード番号が表示される。図３（ｃ）の状態は、ノード番号が無表示になっており、これは、チャネル番号＝４において、ノード番号が未登録であることを示している。ユーザは無線機２３のノード番号の数字を順番にテンキーを使って１つずつ入力する。入力が終了すると、決定キーを押下して、これにより、該チャネル番号についての登録が終了する。
【００３１】
ユーザは、ノード番号入力モードにおいて、ノード番号の新規登録に代えて、登録済みのノード番号を変更することもできる。ユーザは、また、ノード番号入力モードにおいて新規登録も変更も行うことなく、決定キーを押下することにより、該ノード番号入力モードを抜けることができる。
【００３２】
図４はＥｃｈｏＬｉｎｋメモリ送信方法５０のフローチャートである。ＥｃｈｏＬｉｎｋメモリ送信方法５０は、ユーザが所定のチャネル番号を選択してアクセス指示キーを押下するのに伴い、起動する。Ｓ５１では、ユーザが選択したチャネル番号のネーム部にコールサインが登録されているか否かを判定し、判定が正であれば、Ｓ５２へ進み、判定が否であれば、Ｓ５８へ進む。
【００３３】
Ｓ５２では、ユーザが”Ｃ”キーを押したか否かを判定し、判定が正であれば、Ｓ５４へ進み、否であれば、Ｓ５３へ進む。Ｓ５３では、ユーザが”０”→”７”と、２つのキーをその順番に押したかを判定し、判定が正であれば、Ｓ５４へ進み、否であれば、Ｓ５８へ進む。
【００３４】
Ｓ５４は、コールサインをＥｃｈｏＬｉｎｋコードへ変換する処理を含んでいる。ＥｃｈｏＬｉｎｋコードはＤＴＭＦ（Dual Tone Multi Frequency）コードとしてモバイル無線機２８から発信される。図５はＥｃｈｏＬｉｎｋコード変換方法６６のフローチャートである。また、図６はＥｃｈｏＬｉｎｋコード変換方法６６の処理で使用される文字−ＥｃｈｏＬｉｎｋコードの変換表である。
【００３５】
図５のＥｃｈｏＬｉｎｋコード変換方法６６では、コールサインの最大文字数を一例として”８”に設定しているが、任意の所定数に設定することができる。なお、その場合、後述のループの最大実行回数は８ではなく、該所定数になる。
【００３６】
ＥｃｈｏＬｉｎｋコード変換方法６６のループでは、変数ｉｃに初期値として０が代入され、該ｉｃは、ループを１回、回るごとに、１ずつインクリメントされる。ｉｃが８になると、すなわち、ループを８回、回ると、ループから抜け出る。コールサインの各文字は、その先頭文字から順番に１ずつ、ループ内の処理を実行される。コールサインにおいて先頭から８番目以内の文字であっても、それが英数字以外の文字、具体的には”−”であると、処理は、ループから抜け出て、終了する。
【００３７】
ＥｃｈｏＬｉｎｋコードへのコールサインの変換をコールサインの先頭から最大８文字までとする理由は、９文字目からはコールサインではなく、ＳＳＩＤ（Service Set Identifier）であるからである。同様に、コールサインに”−”が現れたら、”−”以降の文字の変換を中止する理由は、”−”より後の英数字はＳＳＩＤであるからである。
【００３８】
Ｓ６７では、コールサインの先頭からｉｃ＋１番目の文字について、それが英数字かそれ以外かを判定し、判定が正であれば、Ｓ６８へ進み、否であれば、ＥｃｈｏＬｉｎｋコード変換方法６６を終了する。Ｓ６８では、ｉｃ＋１番目の文字を図６の変換表に基づきＥｃｈｏＬｉｎｋコードへ変換する。Ｓ６８の実行後、ｉｃを１だけ、インクリメントし、その値と８とを対比し、ｉｃ≧８であれば、ＥｃｈｏＬｉｎｋコード変換方法６６を終了し、ｉｃ＜８であれば、Ｓ６７へ戻る。
【００３９】
図６の表の見方について説明する。各英数字について行番号と列番号が対応付けられているが、各英数字のＥｃｈｏＬｉｎｋコードは２桁の数値に対応しており、該２桁の数値の１番目は図６の表における列番号とされ、２番目は行番号とされる。例えば、英数字の”１”は、列番号及び行番号がそれぞれ１，０となっているので、そのＥｃｈｏＬｉｎｋコードは”１０”となる。同様に、英数字の”Ａ”のＥｃｈｏＬｉｎｋコードは”２１”となる。例えば、コールサインが”Ａ１ＢＣ２Ｄ”である場合は、そのＥｃｈｏＬｉｎｋコードは”２１１０２２２３２０３１”となる。
【００４０】
図４のＳ５４へ戻って、送信バッファーには、Ｓ５２又はＳ５３のユーザ操作により、”Ｃ”又は”０７”がセットされ、それに後続して、コールサインを変換したコード列がセットされ、さらに、最後に”＃”がセットされる。なお、”Ｃ”、”０７”、”＃”も、コールサインのコード列と同じく、ＤＴＭＦコードへ変換したものをセットする。また、コールサインのコード列の前に”Ｃ”のＤＴＭＦコードをセットしたものは、”Ｃｏｎｎｅｃｔ  ｂｙ  Ｃａｌｌ”のコマンドに対応し、”０７”のＤＴＭＦコードをセットしたものは、”Ｑｕｅｒｙ  ｂｙ  Ｃａｌｌ”のコマンドに対応する。Ｓ５４の後、Ｓ６１へ進む。
【００４１】
Ｓ５８では、選択チャネル番号にコード部、すなわちノード番号が登録されているか否かを判定し、判定が正であれば、Ｓ５９へ進み、否であれば、Ｓ６０へ進む。Ｓ５９では、選択チャネルのコード部に設定されているコードを送信バッファーにセットする。Ｓ５９の後、Ｓ６１へ進む。こうして、選択チャネル番号のネーム部にコールサインが登録されていない場合は（Ｓ５１否）、もちろんのこと、また、選択チャネル番号のネーム部にコールサインが登録されていても、ユーザが”Ｃ”等の押下操作を一切しなかった場合も（Ｓ５３否）、選択チャネル番号のコード部にノード番号が登録されていれば、該ノード番号が送信バッファーにセットされる。
【００４２】
Ｓ６０では、前述のＳ５４と同様に、ＥｃｈｏＬｉｎｋコードへのコールサインの変換を行う。そして、コールサインを変換したコード列の前後にそれぞれ”Ｃ”，”＃”をＤＴＭＦコードで付加して、付加後のデータを送信バッファーにセットする。すなわち、”Ｃｏｎｎｅｃｔ  ｂｙ  Ｃａｌｌ”のコマンドが送信バッファーにセットされたことになる。Ｓ６０の後、Ｓ６１へ進む。
【００４３】
Ｓ６１では、送信バッファーにセットされているコードを送信する。なお、Ｓ５１否→Ｓ５８否→Ｓ６０→Ｓ６１と進んで来た場合には、ネーム部及びコード部共に空となっているので、送信バッファーには、実質的に空の状態であり、この場合は、送信は行わない。また、”Ｑｕｅｒｙ  ｂｙ  Ｃａｌｌ”（Ｓ５３正→Ｓ５４→Ｓ６１）に対して、ＶｏＩＰノード局２０からそのノード番号がモバイル無線機２８へ通知されるが、該ノード番号は、ユーザがマニュアルで登録してもよいし、所定のキー操作により該当のチャネル番号のコード部に転記されるようになっていてもよい。
【００４４】
図７は無線機７０のブロック図である。前述のモバイル無線機２８（図１）は無線機７０の一例である。無線機７０は、携帯型に限定されない。車載型や配置場所固定型であってもよい。無線機７０に適用されるＶｏＩＰシステムは、ＥｃｈｏＬｉｎｋシステムに限定されない。ＥｃｈｏＬｉｎｋ以外の他のＶｏＩＰシステムであってもよい。無線機７０は、登録手段７１、コード列生成手段７２、コマンド生成手段７３及び送信手段７４を備えている。
【００４５】
登録手段７１は、各チャネル番号に割当てた無線中継局の各ＶｏＩＰノード局のコールサインをユーザの文字入力に基づき記憶媒体７７に文字形式で登録する。コード列生成手段７２は、ユーザ指定のチャネル番号についてそのコールサインの文字列を記憶媒体７７から読み出すとともに、該文字列の各文字を対応のコードに変換して該文字列の対応コード列を生成する。コマンド生成手段７３は、対応コード列をノード指定部分に含むコマンドコードを生成する。送信手段７４は、コマンドコードを無線で送信する。
【００４６】
ＶｏＩＰノード局の一例はＶｏＩＰノード局２０（図１）である。記憶媒体７７の一例はＥＥＰＲＯＭ３８（図２）である。対応コード列の一例はＥｃｈｏＬｉｎｋコード列である。
【００４７】
コールサインについては、ユーザは、見た目で、それに間違いがあるか否かが分かるので、それに入力ミスがあった場合には、ユーザは、すぐに訂正することになる。また、コールサインの文字列から対応コード列への変換は、ユーザが自ら対応表を参照して、行うのではなく、自動的に行われる。結果、入力ミスに伴うアクセス不能事態の発生が抑制される。
【００４８】
好ましくは、コード列生成手段７２は、ユーザ指示のコマンドに対応付けられているユーザ操作に基づきコマンドコードのコマンド部分を生成する。また、典型的には、ユーザ指示のコマンドには、ＶｏＩＰノード局へ接続するコマンド及びユーザ指定のチャネル番号のコールサインのノード番号を問い合わせるコマンドが含まれている。
【００４９】
ＶｏＩＰノード局へ接続するコマンドの一例は”Ｃｏｎｎｅｃｔ  ｂｙ  Ｃａｌｌ”であり、ユーザ指定のチャネル番号のコールサインのノード番号を問い合わせるコマンドの一例は”Ｑｕｅｒｙ  ｂｙ  Ｃａｌｌ”である。モバイル無線機２８の例では、ユーザ指示のコマンドに対応付けられているユーザ操作は、”Ｃｏｎｎｅｃｔ  ｂｙ  Ｃａｌｌ”のユーザ指示の場合は、”Ｃ”キーの押下であり、また、”Ｑｕｅｒｙ  ｂｙ  Ｃａｌｌ”のユーザ指示の場合は、”０，”７”キーをその順番に押下する操作となっている。無線機７０では、各チャネル番号に登録したコールサインを、複数のコマンドに対して共通に使用することができるので、必要な記録媒体容量を節約することができる。
【００５０】
典型的には、送信手段７４は、コマンドコードをＤＴＭＦにより送信する。また、好ましくは、記憶媒体７７は、各チャネル番号に割当てたＶｏＩＰノード局のノード番号を記憶媒体７７に登録可としている。そして、送信手段７４は、ユーザ指定のチャネル番号に対して、それに割当てたＶｏＩＰノード局のノード番号が登録手段７１に登録されていて、かつユーザがコマンド選択操作を行わなかった場合には、該チャネル番号についてのコールサインの登録の有無に関係なく、コマンドコードに代えてノード番号を無線送信する（具体例：図４のＥｃｈｏＬｉｎｋメモリ送信方法５０におけるＳ５１正→Ｓ５２否→Ｓ５３否→Ｓ５８正→Ｓ５９→Ｓ６１）。
【００５１】
図８は無線機制御方法９０のフローチャートである。無線機制御方法９０は無線機７０（図７）に適用される。無線機制御方法９０は、Ｓ９１，Ｓ９２，Ｓ９３，Ｓ９４を備えている。
【００５２】
Ｓ９１では、各チャネル番号に割当てた無線中継局の各ＶｏＩＰノード局のコールサインをユーザの文字入力に基づき記憶媒体７７に文字形式で登録する。Ｓ９２では、ユーザ指定のチャネル番号についてそのコールサインを記憶媒体７７から読み出すとともに、該コールサインについてその各文字を対応のコードに変換して該文字列の対応コード列を生成する。Ｓ９３では、対応コード列をノード指定部分に含むコマンドコードを生成する。Ｓ９４では、コマンドコードを無線で送信する。
【００５３】
Ｓ９１〜Ｓ９４の処理は、無線機７０（図７）の登録手段７１〜送信手段７４の機能にそれぞれ対応している。したがって、登録手段７１〜送信手段７４の機能について述べた具体的態様はＳ９１〜Ｓ９４の処理についての具体的態様としても適用可能である。
【００５４】
本発明を適用したプログラムは、コンピュータを無線機７０の各手段として機能させる。本発明を適用した別のプログラムは、無線機制御方法９０の各ステップをコンピュータに実行させる。
【００５５】
本明細書は様々な発明を開示している。それら発明には、本明細書における発明の最良の形態等において、独立の作用、効果を奏する１つ又は複数の要素を抽出したものや、１つ又は複数の要素を自明の範囲で変更したものや、１つ又は複数の要素の組合せを自明の範囲で発明の各形態間で入れ換えたものを含む。
【図面の簡単な説明】
【００５６】
【図１】ＥｃｈｏＬｉｎｋシステムの構成図である。
【図２】無線機の構成図である。
【図３】モバイル無線機の表示器における表示例を示す図である。
【図４】ＥｃｈｏＬｉｎｋメモリ送信方法のフローチャートである。
【図５】ＥｃｈｏＬｉｎｋコード変換方法のフローチャートである。
【図６】ＥｃｈｏＬｉｎｋコード変換方法の処理で使用される文字−ＥｃｈｏＬｉｎｋコードの変換表である。
【図７】無線機のブロック図である。
【図８】無線機制御方法のフローチャートである。
【符号の説明】
【００５７】
７０：無線機、７１：登録手段、７２：コード列生成手段、７３：コマンド生成手段、７４：送信手段、７７：記憶媒体、９０：無線機制御方法。
【図１】
2008301169.tif 000003
【図２】
2008301169.tif 000004
【図３】
2008301169.tif 000005
【図４】
2008301169.tif 000006
【図５】
2008301169.tif 000007
【図６】
2008301169.tif 000008
【図７】
2008301169.tif 000009
【図８】
2008301169.tif 000010